(57)【要約】【課題】光学素子に対し、光軸方向、光軸に対し傾く方向、光軸に対する平行偏心方向の３つの方向の調整を行うことができ、より安定した光学性能を得ることが可能となる光学素子保持機構、レンズ鏡筒及び光学機器を提供する。【解決手段】光軸と直交する面に平面部９ａを有し、工具孔９ｂが設けられた第１の保持筒９と、前記第１の保持筒の平面部９ａへの取り付け面５０ａが形成され、光軸方向にリフト量を有するカム溝５０ｂの設けられた偏心リング５０と、前記第１の保持筒の工具孔及び前記偏心リングのカム溝に挿通された偏心コロ８を介して、前記偏心リングに取り付け可能に構成された光学素子を保持するための第２の保持筒６とを備えた構成とする。【選択図】            図５
2006091153.tif 000002
【特許請求の範囲】
【請求項１】
光軸と直交する面に平面部を有し、工具孔が設けられた第１の保持筒と、
前記第１の保持筒の平面部への取り付け面が形成され、光軸方向にリフト量を有するカム溝の設けられた偏心リングと、
前記第１の保持筒の工具孔及び前記偏心リングのカム溝に挿通された偏心コロを介して、前記偏心リングに取り付け可能に構成された光学素子を保持するための第２の保持筒と、を備え、
前記偏心リングを偏心調整手段により位置調整して前記第２の保持筒に保持された光学素子に対する平行偏心調整を行い、偏心コロによって前記光学素子の傾き調整を行うと共に、前記第２の保持筒を前記カム溝の案内により回転させて前記光学素子の光軸方向の位置調整を行うことを特徴とする光学素子保持機構。
【請求項２】
前記偏心調整手段が、前記第１の保持筒に設けられた前記偏心リングを外周より該偏心リングの複数個所を押圧する押圧部材で構成され、該押圧部材の押し引きのバランスにより、該偏心リングに取り付けられた第２の保持筒の光学素子に対する平行偏心調整を行うことを特徴とする請求項１に記載の光学素子保持機構。
【請求項３】
前記保持筒の偏心リングを取り付けるための取り付け面には、調整工具の先端部を保持する凹部が設けられ、前記偏心リングには前記凹部に対応した位置に前記調整工具の先端部が挿入される貫通穴が設けられていることを特徴とする請求項１または請求項２に記載の光学素子保持機構。
【請求項４】
光学素子を、該光学素子の光軸方向、及び前記光軸に対して傾いた方向、及び前記光軸と直交する偏心方向に移動調整が可能に構成されたことを特徴とする光学素子保持機構。
【請求項５】
請求項１〜４のいずれか１項に記載の光学素子保持機構によりレンズを保持することを特徴とするレンズ鏡筒。
【請求項６】
請求項５のレンズ鏡筒を有することを特徴とする光学機器。
【発明の詳細な説明】
【技術分野】
【０００１】
本発明は、光学素子保持機構、レンズ鏡筒及び光学機器に関し、特に、光軸方向、光軸に対し傾く方向、光軸に対する平行偏心方向の３つの方向の調整を可能とした光学素子保持機構、レンズ鏡筒及び光学機器に関するものである。
【背景技術】
【０００２】
従来より、カメラに取り付けるためのフランジであるところのマウントと、フォーカス位置に対応した被写体距離目盛りを有するズームレンズ鏡筒においては、指標線に対し無限位置を表す目盛り線がワイド側とテレ側の両ズーム位置で一致するように、レンズ鏡筒全体を光軸方向に位置調整するためのマウント位置調整構造と、ある特定の群を光軸方向に位置調整するための調整構造を有していることが一般的である。
一方、各部品の精度バラツキによるレンズ群の傾きや偏心を吸収し必要な光学性能を確保するために、やはりある特定の群に対し光軸を傾ける傾き調整構造や光軸を平行偏心させる平行偏心調整構造を有するレンズ鏡筒も多々存在する。
【０００３】
マウント位置調整構造では、マウントのレンズ鏡筒側への取り付け面を切削する手段、あるいはマウントとレンズ鏡筒側マウント取り付け部との間に調整ワッシャを挟む手段が一般的であり、また特定の群を光軸方向に位置調整するための調整構造では位置調整するレンズ群を保持する保持筒に、光軸方向にリフト量を有するリード溝を設けておき、カムフォロワであるコロ等を介して該リード溝にレンズ群を保持することにより調整を行えるようにする手段が存在する。
【０００４】
さらに、傾き調整構造では調整を行うレンズ群を周上３カ所ほどの偏心コロで保持し、必要な傾き方向に対応した偏心コロを偏心させることにより傾き調整を行う手段、また平行偏心調整では調整を行うレンズ群と該レンズ群を保持する保持筒それぞれに光軸方向と直交する面を設け、保持筒に対しレンズ群を平行偏心調整し位置が決定した後にビス等により位置を固定する手段が一般的である。
【０００５】
また、光軸に対しての平行偏心調整の作業手段としては、レンズ群を保持しているレンズ保持筒を光軸に直交した面方向に外周から押圧することが可能な工具を用意し、偏心させた後位置が決定した状態でビス等の固定手段を用いて光軸方向より固定する等の手段が用いられている。
【０００６】
また、特許文献１には、第１群レンズの光軸方向に前後する階段形状部を設け、それらのいずれの階段を選択するかによって、光軸方向の位置調整と平行偏心調整の二つの方向に対する調整を可能にした機構が開示されている。
また、特許文献２には、第１の光学素子保持部材に対して、第２の光学素子保持部材を光軸直交方向に位置調整して両者の偏芯調整をすると共に、第２の光学素子の第１の光学素子に対する倒れ調整を行う調整構造が開示されている。
【特許文献１】特開２００２−３５０７０２号公報
【特許文献２】特開２００２−１９６２０４号公報
【発明の開示】
【発明が解決しようとする課題】
【０００７】
しかしながら、特許文献１あるいは特許文献２等の従来のレンズ鏡筒の調整手段では、ある特定の一つのレンズ群に対し、光軸方向の位置調整と平行偏心調整、または平行偏心調整と傾き調整など、二つの方向に対して調整することは可能であったが、光軸方向の位置調整、光軸に対しての傾き調整、さらに光軸に対しての平行偏心調整と三つの方向に対しての調整を行うことはできず、光学的条件により一つのレンズ群に対して、上記三つの方向に調整することが可能であればよりよい結果となることがわかっている場合でも対応できなかった。
【０００８】
さらに、従来のレンズ鏡筒の光軸に対する平行偏心調整の作業手段では、レンズ群を保持しているレンズ保持筒を光軸に直交した面方向に外周から押圧することが可能な工具を用い、位置が決定した後でビス等で固定することが一般的であったが、位置を固定した後でも上記工具をリリースした際、押圧していた力が解放され調整群が微少に移動してしまうことがあり、敏感度の高いレンズ群においては問題となっていた。
また、レンズ群を保持しているレンズ保持筒を光軸に直交した面方向に外周から押圧する調整工具は、２方向、もしくは３方向からの押圧により光軸と直交する平面方向に調整することになり、移動させたい方向に必要な量を移動させるためには、作業者の習熟が必要であり時間がかかるという問題を有していた。
【０００９】
本発明は、上記課題に鑑み、光学素子に対し、光軸方向、光軸に対し傾く方向、光軸に対する平行偏心方向の３つの方向の調整を行うことができ、より安定した光学性能を得ることが可能となる光学素子保持機構、レンズ鏡筒及び光学機器を提供することを目的とするものである。
【課題を解決するための手段】
【００１０】
本発明は、以下のように構成した光学素子保持機構、レンズ鏡筒及び光学機器を提供するものである。
すなわち、本発明の光学素子保持機構は、光軸と直交する面に平面部を有し、工具孔が設けられた第１の保持筒と、前記第１の保持筒の平面部への取り付け面が形成され、光軸方向にリフト量を有するカム溝の設けられた偏心リングと、前記第１の保持筒の工具孔及び前記偏心リングのカム溝に挿通された偏心コロを介して、前記偏心リングに取り付け可能に構成された光学素子を保持するための第２の保持筒と、を備え、前記偏心リングを偏心調整手段により位置調整して前記第２の保持筒に保持された光学素子に対する平行偏心調整を行い、偏心コロによって前記光学素子の傾き調整を行うと共に、前記第２の保持筒を前記カム溝の案内により回転させて前記光学素子の光軸方向の位置調整を行うことを特徴としている。
また、本発明の光学素子保持機構は、光学素子を、該光学素子の光軸方向、及び前記光軸に対して傾いた方向、及び前記光軸と直交する偏心方向に移動調整が可能に構成したことを特徴としている。
また、本発明においては、上記した光学素子保持機構によりレンズを保持するレンズ鏡筒を構成し、またこのレンズ鏡筒を有する光学機器を構成することができる。
【発明の効果】
【００１１】
本発明によれば、光学素子に対し、光軸方向、光軸に対し傾く方向、光軸に対する平行偏心方向の３つの方向の調整を行うことができ、より安定した光学性能を得ることが可能となる光学素子保持機構、レンズ鏡筒及び光学機器を実現することができる。
【発明を実施するための最良の形態】
【００１２】
本発明を実施するための最良の形態を、以下の実施例により説明する。
【実施例】
【００１３】
［実施例１］
実施例１は、上記した本発明を適用して一眼レフカメラ用交換レンズのズームレンズを構成したものである。
図１は本実施例におけるレンズ鏡筒のワイド状態の構造を示す断面図であり、図２はそのテレ状態の構造を示す断面図である。
また、図３は本実施例におけるレンズ鏡筒の１群鏡筒周辺の拡大断面図である。また、図４は本実施例における押しビスの取り付け状態を表す部分断面図である。
また、図５は本実施例におけるレンズ鏡筒の１群鏡筒周辺の分解斜視図である。また、図６は本実施例におけるレンズ鏡筒の外観図である。
尚、これらの図において同一番号の付された部材は、同一部材を表している。
【００１４】
つぎに図１〜図５を用いて、本実施例におけるレンズ鏡筒の構成について説明する。
本実施例におけるレンズ鏡筒は、カメラ、デジタルカメラ等（勿論ビデオカメラや、プロジェクタ、望遠鏡、双眼鏡等の光学機器でも構わない）に取り付けるズームレンズであり、ズーム操作環１６を回転させることでカム環３１を回転させ焦点距離が変化し、またズーム動作においては前群が進退する全長可変タイプである。
Ｌ１〜Ｌ６はそれぞれレンズ群を表し、１群レンズＬ１〜６群レンズＬ６（これら１〜６群レンズはそれぞれが複数枚であるとは限らず、勿論１枚であっても構わない）はそれぞれ対応する１群鏡筒６〜６群鏡筒４０に固定され、それぞれつぎに示す様に移動する。
【００１５】
１群レンズＬ１が固定されている１群鏡筒６は、偏心リング５０を介して移動筒９とビス１０で一体化されており、案内筒３０に設けてある直進溝とカム環３１に設けてあるカム溝に移動筒９に固定された直進カムフォロワ４１が入り込むことで、ワイドからテレに焦点距離が変化すると光軸方向後側に下がる方向に移動する。
尚、１群鏡筒６と移動筒９間はビス１０で固定される前に位置調整ができる構成となっている。詳しくは後述する。
２群レンズＬ２と４群レンズＬ４はそれぞれ２群鏡筒、４群鏡筒に固定され、それぞれの鏡筒は共に直進筒３２に不図示のコロ、ビス等により固定されており、ワイドからテレに操作環１６が操作されると光軸方向前側に一体的に移動する。
【００１６】
３群レンズＬ３は３群鏡筒３４に固定され、カム環３１の回転に伴って２群レンズと４群レンズとの間を光軸方向に進退する。
また、３群鏡筒には、絞りユニット３６、焦点距離によって開口径が変化する副絞りユニットが固定されＬ３と一体的に移動する。
５群レンズＬ５はフォーカス群であり５群鏡筒３９に固定されており、ＵＳＭユニット２８と不図示の連結部材と連結しておりフォーカス時には回転しながら光軸方向に移動する。尚、５群のガラスは熱カシメによって保持されるが、カシメられた際の形状が光軸方向と直交する平面に形成され、この平面部に軸外光を遮蔽する固定絞り８０が取り付けられている。
【００１７】
また、焦点距離によってフォーカス操作による進退量が異なる所謂インナーフォーカスタイプのため、カムの使用領域と光軸方向の位置調整をサブカム環３８によって行っている。尚、このサブカム環３８はカム環３１と一体的に回転する。ＵＳＭユニット２８に関しては公知のユニットであるため、その詳細な説明は省略する。
また、ＵＳＭユニット２８の先端部にはフード保持環１２が固定されておりフード保持環１２の爪部にフード（不図示）がバヨネット結合することでフードを保持できる様になる。尚、ＵＳＭユニット２８、案内筒３０、固定筒１５、後部環１８、マウント２２は固定部でありそれぞれに固定結合される部材もまた固定部である。
【００１８】
６群レンズＬ６は固定群であり、６群鏡筒４０に保持され、６群鏡筒４０は固定筒１５に固定されている。１８は後部環、２２は一眼レフカメラと結合する為のマウントであり、接点ブロック２３においてカメラ側と電気的な通信を行えるようになっている。接点ブロックからの信号はＦＰＣで接続されたメイン基板４０に実装してある回路に伝達され、それぞれの制御を行う。また本レンズ鏡筒がカメラに結合された際には、１９のシーリングゴムがカメラと当接し、マウント付近の防水防滴性能を発揮できる様に構成されている。
【００１９】
１３はフォーカスリングであり、回転させることで焦点調節を行うことができる。
１４，１７は、ゴムリングであり、操作感の向上を図っている。２０は被写体距離表示を表す目盛窓、２１はフォーカシング動作の切替えスイッチであり、フォーカスリング１３を使用したマニュアルフォーカスとＵＳＭ駆動によるフォーカシング動作を切り替えられるようになっている。またそれぞれの操作部には防水防滴構造としてシーリングゴムや防水防滴油を必要な部位に塗布してありレンズ鏡筒全体として防水防滴性能を発揮できる様になっている。
【００２０】
また本実施例のレンズ鏡筒では、各部品の公差精度のバラツキを吸収しつつ光学性能を保つための光学調整箇所は光学的条件により１群の光軸に対する傾き調整と、および同箇所の平行偏心調整となっており、さらに指標線に対し無限位置を表す目盛り線がワイド側とテレ側の両ズーム位置で一致するようにレンズ鏡筒全体を光軸方向に位置調整するためのマウント位置調整構造であるところの後部環１８の切削行程と、１群の光軸方向のバランス位置調整が必要となっている。また、図１と図２を比較して分るように本レンズ鏡筒は全長が可変する構成であり、特にレンズ鏡筒内の空間Ｃの容積変化が大きい。そのため、空間Ｃの容積変化分の空気の出入りが可能な通気穴が必要であり、また通気穴において、容積変化によるポンプ作用により外気を引き込む吸引力が発生してしまうことから、より高い防水防滴対策が必要である。
【００２１】
以下に、このような本実施例のレンズ鏡筒先端部の通気穴近傍の構造を含めた、１群鏡筒部分の光学調整構造について説明する。
６はレンズ群Ｌ１を保持した１群鏡筒であり、５０はカム溝５０ｂと、カム溝５０ｂと同一のリードを持ったビス止め用の長孔５０ｃが周上に等角度間隔で３箇所づつを有し、さらに光軸方向と直交した平面部５０ａ、および平面部５０ａには移動筒９に取り付けられた後固定されるためのビス穴５０ｄ、フィルター枠４を移動筒９に固定する際、取り付け用ビスが貫通する貫通穴５０ｅがそれぞれ光軸方向に３カ所ずつ設けられているところの偏心リングである。
【００２２】
１群鏡筒６はカム溝５０ｂと長孔５０ｃに対応した箇所にそれぞれ偏心コロ８とビス１０を取り付けることにより偏心リング５０と結合されており、また移動筒９には偏心リング５０を取り付け保持するための平面部９ａと、調整後偏心リング５０を固定するためのビス孔９ｅ、偏心コロ８とビス１０を操作するための工具孔９ｂが設けられ、この工具孔９ｂに対し光軸方向の幅をカバーする長さ分１段径の下がった小径部９ｃが設けられている。さらに移動筒９には光軸に対し直行した放射方向にやはり等間隔で３箇所設けられた貫通した押しビス用孔９ｄが配置され、この押しビス用孔９ｄに押しビス５１を取り付け偏心リング５０を押圧するようになっており、３箇所の押しビス５１の押し引きのバランスにより偏心リング５０と一体的に保持された１群鏡筒６の平行偏心調整を行う。
【００２３】
この調整群である１群鏡筒周辺の組付け作業としては、まず移動筒９に偏心リング５０を固定ビス５２を用いてほぼ光軸中心に仮止めし、さらに偏心リング５０に１群鏡筒６を嵌挿し、移動筒９の工具孔９ｂを通して３箇所のコロ座６ｃに偏心リング５０のカム溝５０ｂを通過させた偏心コロ８が入り込みビス７を締め付けて仮止めする。次に移動筒９の３箇所の押しビス用孔９ｄに押しビス５１を偏心リング５０に接触するまでの位置に取り付ける。
この状態で３箇所あるうちの任意の偏心コロ８を回転させることにより光軸に対する傾き調整を行うことができ、さらに３箇所の押しビス５１の押し引きのバランスにより偏心リング５０と一体的に保持された１群鏡筒６の平行偏心調整を行うことが可能となっている。
【００２４】
調整作業後は、まず光軸方向から固定ビス５２を締め込んで偏心リング５０を固定し、さらに押しビス５１を移動筒９に対し接着することで恒久的に調整時と同様の状態を保つようにする。
さらに、この状態でＬ１を含む１群鏡筒６をカムの周幅内で回転させるとカムのリードにより光軸方向に進退し、ズーミングの焦点ズレの光学調整を行うことが出来る。尚、偏心コロ８はカム溝５０ｂと圧入設定されているため、光学調整が終わった状態で過剰な衝撃を与えない限り、１群鏡筒６は移動することはない。
【００２５】
次に、光学調整後の状態で固定するために、３箇所のビス穴６ｄにビス１０がビス止め用長孔５０ｃを通過した後に締め付け固定する。その後１段径の下がった９ｃ部に撥水性微多孔部材１１を貼り付ける。このことにより、空間Ｃとレンズ鏡筒外部との通気を確保しつつ、これら５０ｂ、５０ｃ、さらに９ｂの孔を通過してのレンズ鏡筒内部（空間Ｃ）へのゴミや水滴の進入を防止することができる。尚、撥水性微多孔部材１１には、その外周部に沿って両面接着材が施されてあり、撥水性微多孔部材１１の端部からの水滴の進入はなく、両面接着剤による通気穴であるところの工具孔９ｂを塞ぐこともない。また同一の撥水性微多孔部材で覆うことから作業上もコスト的にも有利に構成できる。
【００２６】
その後フィルター取り付け用のネジが加工されてあるフィルター枠４を、３本のビス５が穴４ｂ、偏心リング５０の貫通孔５０ｅを通過して移動筒９のビス穴９ｅに締め付けられることで固定される。この時フィルター枠の後ろ側の４ｃ部分が光軸と垂直方向（放射方向）に隙間を空けて延出している部分があり、撥水性微多孔部材１１を覆う構成となっている。このことにより使用者は撥水性微多孔部材１１や９ｂの工具孔に触れることは出来ない。また開口部Ｂは光軸方向後ろ側に開いている。これは、撮影者側に開口部を設けた方が開口部付近へのゴミや水滴の付着の可能性を少なくすることが出来るからである。また開口部Ｂの隙間も目立たなくすることが出来、外観上も好ましい。
【００２７】
レンズ鏡筒前側に関しては防水防滴性能を維持する必要があるので、１群鏡筒６の前側の段差部６ａにＯリング３を配置する。２は発泡シーリング材であり弾性変形しても防水防滴性を維持できる部材である。この２を前側化粧環１の後ろ側に貼り付けた後に、３箇所の爪部１ｂが１群鏡筒６の３箇所に設けてある周溝６ｂに入り込むように２、３を圧縮させながら固定させる。このことによりフィルター枠４と前側化粧環１の間は発泡シーリング材２によって、前側化粧環１と１群鏡筒６の間は壁部１ａと段部６ａ間にＯリングを圧接させることによって防水防滴性能を維持している。尚２にＯリングを使用していない理由は１群鏡筒６が前述の光学調整により光軸方向の位置がレンズ鏡筒毎に一定してないことによる。
尚、９ｂが複数箇所あることにより万が一水滴が開口部Ｂより進入し撥水性微多孔部材１１とフィルター枠の間の隙間に入り込み９ｂを覆う水滴が入ったとしても、水没させるようなことがない限り全ての穴を塞ぐことはないので通気は必ず確保できる。
【００２８】
つぎに、図７及び図１、図２を用いて、フード保持環１２付近の摺動部の構成について説明する。
フード保持環１２の内径側には光軸方向の前側より径の大きい１２ｄ部があり、この内側に１２ｄの径より小さい外径の摺動リング２５が配置される。摺動リング２５の内周前側には、撥水処理されたフェルト部材２６が１周以上貼り付けられ、この２６と移動筒９の外周部９ｅが摺動する。尚、自然状態においてはフェルト部材２６の内径よりも９ｆの外径のほうが大きい。２７は補強リングであり、フード保持環１２の内周側の圧入突起１２ｃ部に２７の外径が圧入することでフード保持環１２に保持され、摺動リング２５の光軸方向の位置規制も兼ねている。摺動リング２５には外周に３箇所の溝部がありフード保持環１２の内周に設けられている突起１２ｂが入り込むことで摺動リング２５の回転規制を行っている。また、摺動リング２５の前側端面とフード保持環１２の端面１２ｅ間、摺動リングの後側端面と補強リング２７の前側端面の間には防水防滴油が塗布されている。
【００２９】
上記構成により、移動筒９が光軸方向に移動した際には移動筒の傾きに従って摺動リングは光軸垂直方向にシフトし移動筒９と摺動リング２５（フェルト部材２６）の隙間の発生を防止しつつ、光軸方向の隙間に関しては防水防滴油が塗布されていることから水滴の侵入を防ぐことができる。また摺動リングは回転規制されていることから、摺動リングを回転させて油切れの発生も防止している。またフェルト部材２６と移動筒９ｆの寸法関係によりフェルト部材は若干つぶされた状態で摺動するため、これらの間に隙間の発生は無い。
【００３０】
また、フード保持環１２には光軸に対し放射方向に貫通孔１２ａが数箇所設けられており、ユニットとして組みつけられる外観用のリング部材の下に隠れるようになっている。固定部であるところのＵＳＭユニット２８にフード保持環１２を取り付け、フード保持環１２の貫通孔１２ａに対応した場所に設けられたＵＳＭユニット２８の貫通孔２８ａに圧入ピンを内周側より挿入することによりＵＳＭユニット２８とフード保持環１２は一体的に結合される。
【００３１】
以上の本実施例の構成によれば、一つのレンズ群に対し光軸方向の位置調整、光軸に対しての傾き調整、光軸に対しての平行偏心調整の三つの方向に対して調整手段を有し、また平行偏心調整においては短時間で安定した調整作業を行うことが可能であり、また調整後工具の開放時に調整群が移動してしまうことのない、レンズ鏡筒を実現することができる。
また、本実施例の構成によれば、平行偏心調整において調整群を偏心調整させるための押しビス構造を、調整群を保持している保持筒に持たせ、調整した状態で押しビスを接着固定することにより恒久的に調整位置を維持でき、安定した調整をすることが可能となる。
なお、本発明は上記実施例で説明した構成に限定されるものではなく、他の部分に使用した場合においても、同様の効果が発揮されることは言うまでもない。
【００３２】
［実施例２］
実施例２は、上記した本発明を適用して一眼レフカメラ用交換レンズのズームレンズを構成したものである。
図８は本実施例におけるレンズ鏡筒の１群鏡筒周辺の拡大断面図である。
図８において、６０は偏心リング、６１は移動筒である。偏心リング６０には調整工具が挿入される貫通穴、移動筒６１には偏心リング６０を偏心調整するための工具を受ける凹部６１ａがそれぞれ等間隔位置に３箇所光軸方向に設けられ、その他の構成は実施例１と同様である。
【００３３】
調整工具７０は光軸方向に向いたピンであり先端部７０ａが偏心リング６０の貫通穴を通して移動筒６１の凹部６１ａにそれぞれ３箇所挿入され、また調整工具７０は３箇所のピンをリンク機構で接続するように途中２箇所をリンク板７０ｂ、７０ｃで回動保持される構造となっている。
作業者は調整工具の操作部であるリンク板７０ｂを光軸に対し直行する放射方向に平行移動させることにより、偏心リング６０を縮小移動させることができるため、任意の位置にレンズ群を移動させることが容易となる。
尚、本実施例では保持筒に設けられた凹部は光軸方向に向いた円錐形状をしているが、これは調整工具の先端が保持できればこの形状に限定したものではない。また凹部の数も３箇所としているが２箇所、あるいは逆に３箇所を超える数を設けていても本発明の効果の内容には差はない。
【００３４】
また、本実施例は、一眼レフ用の交換レンズの実施例を示しているが、勿論この交換レンズを装着した一眼レフカメラ本体も含めたカメラシステムにも適用可能であるし、また、レンズとカメラ本体とが一体的に設けられたカメラ（撮像装置）にも適用可能である。また、前述したように、本実施例に記載したようなズームレンズを有するビデオカメラ、プロジェクタ、望遠鏡、双眼鏡等の光学機器に適用可能であることは言うまでもない。
【００３５】
このような本実施例によれば、平行偏心調整において調整工具を用いることにより調整作業を容易に行うことが可能なズームレンズ及びそのズームレンズを備えた光学機器を提供することが可能となる。
【図面の簡単な説明】
【００３６】
【図１】本発明の実施例１におけるレンズ鏡筒のワイド状態の構造を示す断面図。
【図２】本発明の実施例１におけるレンズ鏡筒のテレ状態の構造を示す断面図。
【図３】本発明の実施例１におけるレンズ鏡筒の１群鏡筒周辺の拡大断面図。
【図４】本発明の実施例１における押しビスの取り付け状態を表す部分断面図。
【図５】本発明の実施例１におけるレンズ鏡筒の１群鏡筒周辺の分解斜視図。
【図６】本発明の実施例１におけるレンズ鏡筒の外観図。
【図７】本発明の実施例１のレンズ鏡筒のフード保持環部の分解斜視図。
【図８】本発明の実施例２のレンズ鏡筒の１群鏡筒周辺の拡大断面図。
【符号の説明】
【００３７】
６：１群鏡筒
９：移動筒
９ａ：平面部
９ｂ：工具孔
９ｃ：小径部
９ｄ：押しビス孔
９ｅ：ビス孔
１２：フード保持環（固定部）
１２ａ：貫通孔
２５：摺動リング（摺動部材）
５０：偏心リング
５０ａ：平面部
５０ｂ：カム溝
５０ｃ：長孔
５０ｄ：ビス孔
５０ｅ：貫通孔
５１：押しビス
【図１】
2006091153.tif 000003
【図２】
2006091153.tif 000004
【図３】
2006091153.tif 000005
【図４】
2006091153.tif 000006
【図５】
2006091153.tif 000007
【図６】
2006091153.tif 000008
【図７】
2006091153.tif 000009
【図８】
2006091153.tif 000010